(57)【要約】【課題】地震に強く、しかも通気性に優れて、空気循環による室内の冷房や暖房効果が十分得られる木造家屋を提供する。【解決手段】土台１に立設された内壁２及び外壁３と、土台１の一部上に掛かるように敷設された床材６と、土台１の上面に形成された溝から成る第１の通気口８と、内壁２の下端に開口された第２の通気口１２と、を備える。床材６の下方の床下空間６が第１の通気口８を通して内壁２と外壁３の隙間１１へ連通する第１の通気路Ａ１と、内壁２と外壁３の隙間１１が第２の通気口１２を通して、床材６の上方の室内空間１３へ連通する第２の通気路Ａ２を形成した。【選択図】  図３
2007031955.tif 000002
【特許請求の範囲】
【請求項１】
土台又は梁に立設された内壁及び外壁と、前記土台又は梁の一部上に掛かるように敷設された床材と、前記土台又は梁の上面に形成された溝から成る第１の通気口と、前記内壁の下端に開口された第２の通気口と、を備え、前記床材の下方の床下空間が前記第１の通気口を通して前記内壁と前記外壁の隙間へ連通する第１の通気路と、前記内壁と前記外壁の隙間が前記第２の通気口を通して、前記床材の上方の室内空間へ連通する第２の通気路を形成したことを特徴とする木造家屋。
【請求項２】
前記内壁の上端に形成された第３の通気口を備え、前記室内空間から前記内壁と前記外壁の隙間へ連通する第３の通気路を形成したことを特徴とする請求項１に記載の木造家屋。
【請求項３】
前記外壁から前記床下空間へ配管され、さらに床下空間下の地面に一部が埋設され、前記床下空間に外気を導入する外気導入管を備えることを特徴とする請求項１に記載の木造家屋。
【発明の詳細な説明】
【技術分野】
【０００１】
本発明は、木造家屋に関し、特に木造家屋の通気構造に関する。
【背景技術】
【０００２】
従来の木造家屋は、図５に示すように、コンクリート基礎上に土台１が載置され、この土台１には内壁２と外壁３が柱４によって支持される形で立設されている。そして、対向する一対の土台１には複数の根太５と呼ばれる角材が掛け渡され、根太５上に床材６が敷設されている。この木造家屋によれば、根太５の厚さだけ、土台１の上面と床材６の下面の間にスペースが生じるので、このスペースを通して、床材６の下方の床下空間が内壁２と内壁３との隙間に連通して木造家屋の床下空間から上方への通気路が確保される。
【特許文献１】特開２００４−６０９５９号公報
【発明の開示】
【発明が解決しようとする課題】
【０００３】
しかしながら、従来の木造家屋では土台１上に根太５を介して床材６が敷設されていたので、地震時には床材６が不安定となり、地震に弱いという問題があった。また、木造家屋の床下空間から内壁２と外壁３との隙間への通気路は確保されているが、室内を経由する通気路は形成されず、木造家屋の通気性が不十分であることから、空気循環による室内の冷房や暖房効果を十分得られないという問題もあった。
【課題を解決するための手段】
【０００４】
そこで、本発明の木造家屋は上述した課題を解決するために、土台又は梁に立設された内壁及び外壁と、前記土台又は梁の一部上に掛かるように敷設された床材と、前記土台の上面に形成された溝から成る第１の通気口と、前記内壁の下端に開口された第２の通気口と、を備え、前記床材の下方の床下空間が前記第１の通気口を通して前記内壁と前記外壁の隙間へ連通する第１の通気路と、前記内壁と前記外壁の隙間が前記第２の通気口を通して、前記床材の上方の室内空間へ連通する第２の通気路を形成したことを特徴とするものである。
【発明の効果】
【０００５】
本発明の木造家屋によれば、根太を用いずに土台又は梁に直接、床材を敷設することで耐震強度を向上させながら、土台又は梁の上面に形成された溝から成る第１の通気口によって内壁と外壁の隙間へ連通する第１の通気路を確保することができる。また、内壁に開口された第２の通気口を通して、床材の上方の室内空間へ連通する第２の通気路を形成したので、従来の木造家屋に比して格段に通気性が向上し、空気循環による室内の冷房や暖房効果を十分得ることができる。
【発明を実施するための最良の形態】
【０００６】
次に、本発明の実施形態の木造家屋について図面を参照しながら詳しく説明する。図１はこの木造家屋の平面図、図２は土台又は梁の部分を示す斜視図である。図３は木造家屋の１階部分及び２階部分を示す部分断面図である。
【０００７】
コンクリート基礎上の土台１、又は天井の梁１０には内壁２と外壁３が立設され、土台１又は梁１０の一部上に掛かるように、合板６Ａとフロアー材６Ｂを貼り合わせてなる床材６が直接敷設されている。土台１又は梁１０の上面には所定の間隔で複数の間柱７が立設され、隣接する間柱７の間の土台１又は梁１０の上面に切り欠いた溝から成る第１の通気口８が形成されている。
【０００８】
土台１又は梁１０に形成された溝から成る第１の通気口８の上方は、床板６で半分程度しか覆われていないので、第１の通気口８は内壁２と外壁３の隙間１１に連通しており、これにより、床材６の下方の床下空間９が第１の通気口８を通して内壁２と外壁３の隙間１１へ連通する第１の通気路Ａ１が形成される。
【０００９】
また、図３に示すように、１階部分の内壁２の下端（床板６の僅かに上の位置）には第２の通気口１２が開口されており、内壁２と外壁３の隙間１１が第２の通気口１２を通して、床材６の上方の１階の室内空間１３へ連通する第２の通気路Ａ２が形成される。また、１階部分の内壁２の上端（天井板２２の僅かに下の位置）には第３の通気口１４が開口されており、内壁２と外壁３の隙間１１が第３の通気口１４を通して、１階の室内空間１３へ連通する第３の通気路Ａ３が形成される。２階部分についても同様にして第２及び第３の通気口１２，１４が形成され、これらに対応して第２の通気路Ａ２及び第３の通気路Ａ３が形成される。なお、外壁３は、内側から、気密性確保を兼ねたダイライト耐力壁３Ａ、断熱材３Ｂ、及び不図示の胴ふち、仕上げ材を貼り合わせて形成されている。
【００１０】
次に、本発明の木造家屋の全体的な通気構造について図４を参照しながら説明する。図４（Ａ）に示すように、夏期の木造家屋では、外気を床下空間９に導入するための外気導入管１６が冷房のために利用される。この外気導入管１６は、外壁３に外気導入口３０が設けられ、内壁２、床板６を貫通して床下空間９へ配管され、さらに床下空間９下の地面に一部が埋設されて、外気導入管１６の外気排出口３１が床下空間９の上方に向けられている。外気導入口３０はできるだけ冷たい外気を取り込むために、北側の外壁３であって、地面から１ｍ〜１．５ｍの高さに設けることが望ましい。
【００１１】
この外気導入管１６に取り込まれた外気は床下空間９下の地面によってさらに冷やされ、床下空間９内に導入される。床下空間内９に導入された外気は、前記第１の通気路Ａ１を通って、内壁２と外壁３の隙間１１に導入され、さらに第２の通気路Ａ２を通して１階の室内空間１３へ導入される。外気が導入される前に室内空間１３を満たしていた暖かい空気は第３の通気路Ａ３を通して、内壁２と外壁３の隙間１１へ排出される。そして、２階の室内空間１５には、第１の通気路Ａ１を通して、１階の室内空間１３からの空気、及び１階部分の内壁２と外壁３の隙間１１に導入された外気が導入される。また、２階の室内空間１５の空気は第３の通気路Ａ３を通して、内壁２と外壁３の隙間１１へ排出される。
【００１２】
そして、２階部分の内壁２と外壁３の隙間１１へ排出された空気は屋根裏空間１７へ上昇して、排気管１８を通して木造家屋の外へ排出される。排気管１８の排気口１９の先端は雨が入るのを防止するために、屋根の庇から下方に向けることが望ましい。このように、本発明の木造家屋によれば、外気導入管１６によって床下空間９に導入された冷たい外気は第１、第２及び第３の通気路Ａ１，Ａ２，Ａ３を通って、一階の室内空間１３及び２階の室内空間１５に導入され、これに伴って一階の室内空間１３及び２階の室内空間１５にあった暖かい空気は屋根裏空間１７から排気管１８を通して屋外へ排出されるので、このような通気が持続的に継続されることで、１階の室内空間１３及び２階の室内空間１５を外気によって効率よく冷房することができる。
【００１３】
なお、上記のような通気は空気の自然対流によって自然に行われるものであり、低消費電力に資するものであるが、空気の流れをより促進するためには排気管１８の排気口１９に電動ファンを取り付けることが望ましい。
【００１４】
図４（Ｂ）に示すように、冬季の木造家屋では、排気管１８及び外気導入管１６は使用せず、その代わりに、１階の天井裏空間に給排気熱交換装置２１を設置して換気を行う。そして、暖房のために、床下空間９に電気ヒーター等の暖房装置２０を設置する。暖房装置２０によって暖められた床下空間９の空気は、前記第１、第２及び第３の通気路Ａ１，Ａ２，Ａ３を通って、１階の室内空間１３及び２階の室内空間１５に導入され、一階の室内空間１３及び２階の室内空間１５を効率よく暖房することができる。
【図面の簡単な説明】
【００１５】
【図１】本発明の実施形態に係る木造家屋の平面図である。
【図２】土台又は梁の部分を示す斜視図である。
【図３】木造家屋の１階部分及び２階部分を示す部分断面図である。
【図４】本発明の実施形態に係る木造家屋の全体的な通気構造を示す断面図である。
【図５】従来の木造家屋の平面図である。
【符号の説明】
【００１６】
１  土台    ２  内壁    ３  外壁    ４  柱    ５  根太
６  床板    ７  間柱    ８  第１の通気口    ９  床下空間
１０  梁    １１  内壁と外壁の隙間    １２  第２の通気口
１３  １階の室内空間    １４    第３の通気口    １５  ２階の室内空間
１６  外気導入管    １７  屋根裏空間    １８  排気管    １９  排気口
２０  暖房装置    ２１  給排気熱交換装置
【図１】
2007031955.tif 000003
【図２】
2007031955.tif 000004
【図３】
2007031955.tif 000005
【図４】
2007031955.tif 000006
【図５】
2007031955.tif 000007